(57)【要約】【課題】スクリーンをスプールに取り付け・取り外しが容易であり、かつ、巻き込みの最終段階で巻き込み力が制御されて衝撃がなく、また、スクリーンが損傷しないスクリーンの巻き込み構造を提供する。【解決手段】スプール１８を構成する筒体２６の内部を、中心軸２４が貫通する大区画部分２６ｄと、スクリーン１７の巻き込み端を扁平部材５４と共に収容する小区画部分２６ｃとに隔壁２６ａでもって長さ方向に区画し、上記小区画部分２６ｃの外周に、中心から位置をずらせてスリット２６ｂを設け、そのスリット２６ｂにより形成された小区画部分２６ｃの、スリットの縁に複数の切り欠き５５を設け、扁平部材５４の側縁から延びるように固定したスクリーン１７の接続部１７ｊを深い懐側に向けて装填してなるもので、上記小区画部分２６ｃの幅を１としたとき、スリット２６ｂの幅を０．２５〜３、スクリーン１７を固定した状態での扁平部材５４の全幅を０．６〜０．６６としたものである。【選択図】図１
2008095481.tif 000002
【特許請求の範囲】
【請求項１】
コイルスプリングに付勢されて巻き取られるロールスクリーンにおいて、スプール（１８）を構成する筒体（２６）の内部を、中心軸（２４）が貫通する大区画部分（２６ｄ）と、スクリーン（１７）の巻き込み端を扁平部材（５４）と共に収容する小区画部分（２６ｃ）とに隔壁（２６ａ）でもって長さ方向に区画し、上記小区画部分（２６ｃ）の外周に、中心から位置をずらせてスリット（２６ｂ）を設け、そのスリット（２６ｂ）により形成された小区画部分（２６ｃ）のスリットの縁に複数の切り欠き（５５）を設け、扁平部材（５４）の側縁から延びるように固定したスクリーン（１７）の接続部（１７ｊ）を深い懐側に向けて装填してなることを特徴とするロールスクリーン。
【請求項２】
上記小区画部分（２６ｃ）の内幅を１としたとき、スリット（２６ｂ）の幅を０．２５〜３、スクリーン（１７）を固定した状態での扁平部材（５４）の全幅を０．６〜０．６６としたことを特徴とするロールスクリーン。
【請求項３】
上記スプール（１８）に巻き込まれたスクリーン（１７）を収容するハウジング（１９）内に、巻き太るスクリーン（１７）が制動板（５３）に接触して巻き込み力を制御する機構を付加したことを特徴とする請求項１に記載の遮光面格子。
【発明の詳細な説明】
【技術分野】
【０００１】  この発明は、家屋・車両などの窓に設けられる遮光用ロールスクリーン、あるいはホームシアターで用いられる映像用ロールスクリーンにおける巻き込み構造に関する。
【背景技術】
【０００２】  家屋・車両等の窓に設けられる遮光用ロールスクリーンにおける巻き込み構造の先行技術を見ると特許文献１のようなものが見られる。【０００３】
【特許文献１】特開２００３−２０６６７９号（要約および図８，９，１０）
【０００４】  上記先行技術ではスプールに遮光スクリーンがどのように繋がれているかを詳しく開示されていないが、出願人が知るところでは、図３に示すようにスプール８を構成する筒体６の内部を、中心軸４が貫通する大区画部分６ｄと、スクリーン７の巻き込み端に扁平部材９と共に収容する小区画部分６ｃとに隔壁６ａでもって長さ方向に区画し、この小区画部分６ｃの長さ方向中心にスリット６ｂを設け、別途スクリーン７の巻き込み端に取り付けた扁平部材９を小区画部分６ｂの端から、スクリーン７がスリット６ｂから延びるように挿し込んでなる。
【発明の開示】
【発明が解決しようとする課題】
【０００５】  上記従来のスクリーン巻き込み構造では、スプール８へのスクリーン７の取付けが困難で、とりわけスクリーンの幅が１８０ｃｍになると、小区画部分６ｃとスクリーン７の巻き込み端を取り付けた扁平部材９との滑り抵抗が大きくなって差込作業が極めて困難になり、また、スクリーン７の取替えの作業も極めて困難である。【０００６】  また、従来技術に係るスクリーンの巻き込み構造では、巻き込みが進むにつれて巻き込み速度が大きくなり、巻き込み最終段階でのスクリーンに対する衝撃が大きくなり損傷の原因になっている。【０００７】  上記従来技術の問題に鑑みこの発明は、スクリーンをスプールに取り付け・取り外しが容易であり、かつ、巻き込みの最終段階で巻き込み力が制御されて衝撃がなく、また、スクリーンが損傷しないスクリーンの巻き込み構造を提供することを課題とする。
【課題を解決するための手段】
【０００８】  上記課題を解決するためにこの発明は、スプール１８を構成する筒体２６の内部を、中心軸２４が貫通する大区画部分２６ｄと、スクリーン１７の巻き込み端を扁平部材５４と共に収容する小区画部分２６ｃとに隔壁２６ａでもって長さ方向に区画し、上記小区画部分２６ｃの外周に、中心から位置をずらせてスリット２６ｂを設け、そのスリット２６ｂにより形成された小区画部分２６ｃの、スリットの縁に複数の切り欠き５５を設け、扁平部材５４の側縁から延びるように固定したスクリーン１７の接続部１７ｊを深い懐側に向けて装填してなるもので、上記小区画部分２６ｃの幅を１としたとき、スリット２６ｂの幅を０．２５〜３、スクリーン１７を固定した状態での扁平部材５４の全幅を０．６〜０．６６とすると扁平部材の装填が容易である。【０００９】  また、上記スプール１８に巻き込まれたスクリーン１７を収容するハウジング１９内に、巻き太るスクリーン１７が制動板５３に接触して巻き込み力を制御する機構を付加したものである。
【発明の効果】
【００１０】  上記のごとく構成したスプールへのスクリーンの取り付け構造によれば、スクリーンの取付け・取り外し作業が容易になる。とりわけ１８０ｃｍ幅のスクリーンではスプールへのスクリーンの取付け・取り外し作業が極めて困難であったものが簡単にできるようになった。【００１１】  また、スクリーンの巻き込みの最終段階で巻き取り速度が速くなり、その衝撃でスクリーンを損傷させる恐れがあったのが解消される。
【発明を実施するための最良の形態】
【実施例１】
【０００１】  図１は実施例１で、長い筒体２６の内部に隔壁２６ａを設けて小区画部分２６ｃと大区画部分２６ｄに区分し、小区画部分２６ｃの外周に中心から図面上左にずらして長さ方向のスリット２６ｂを設けて懐の深い方と浅い方とにしている。また、懐の深い方のスリット２６ｂの縁には任意の位置に複数の切り欠き５５を設け（懐の浅い方のスリット２６ｂの縁に切り欠き５５を設けてもよい、また、スクリーンの幅か広くなると多くする）、また、大区画部分２６ｄには支持軸２４が貫通している。【００１３】  小区画部分２６ｃには、遮光スクリーン１７の端を巻きつけるように取付け、扁平部材５４の側縁に接続部１７ｊを設け、それから遮光スクリーン１７が延び、この扁平部材５４と共に遮光スクリーン１７の接続部１７ｊが懐の深い方に向くようにスリット２６ｂを通して小区画部分２６ｃに装填する。【００１４】  ここで、上記小区画部分２６ｃの幅を１としたとき、スリット２６ｂの幅を０．２５〜３、スクリーン１７を固定した状態での扁平部材５４の全幅を０．６〜０．６６とすると扁平部材５４を取り付けた遮光スクリーンの小区画部分への装填が容易になり、遮光スクリーンの取替えのための取り外しも容易になる。【００１５】  次に小区画部分２６ｃに扁平部材５４とともに遮光スクリーンの端を装填したときの力の働き具合を、図１（ｃ）を参照しながら説明する。遮光スクリーンに張力が掛かっている通常の状態では矢印ａの方向に移動しようとし、遮光スクリーンがスリット２６ｂを通過したときには矢印ｂの方向に移動しようとし、遮光スクリーン１７を巻きつけ取り付けた扁平部材５４は矢印ｃの方向に移動しようとして取り付け状態が外れることはない。また、取り外すときは切り欠き５５からヘラなどを挿し込んで扁平部材５４を小区画部分２６ｃの、懐の深い方に移動させることにより取り外すことができる。
【実施例２】
【０００２】  図２は実施例２で、遮光スクリーン１７がスプール１８に巻き込まれ、巻き太るに従って遮光スクリーン１７に制動力が働くようにしたもので、ハウジング１９内に制動板５３を、ブラケット５３ｂを介して取り付けたものである。【００１７】  上記のように構成することによって、遮光スクリーンを引き出してコイルスプリングの抵抗が大きくなるにつれて制動板５３の作用が弱まり、遮光スクリーンの繰り出しが楽になり、逆に遮光スクリーンの掛け金を外して巻き込まれるとき、はじめは制動が掛かっていないが最終段階で遮光スクリーンが巻き太った状態では制動板５３の制動が掛かってスクリーンへの衝撃が緩和される。
【産業上の利用可能性】
【００１８】  以上説明したようにこの発明によれば、遮光スクリーンのスプールへの取付け・取り外し作業が簡単になり、また、遮光スクリーンへの衝撃が緩和されて損傷を防止する効果が得られて産業上の利用効果が高いものである。
【図面の簡単な説明】
【００１９】
【図１】本発明に係る実施例１の（ａ）縦断面図、（ｂ）Ａ−Ａ断面図、（ｃ）作用説明図
【図２】同第２実施例のたて断面図
【図３】従来技術に係るスプール部分の横断面図
【符号の説明】
【００２０】１７  遮光スクリーン
１７ｊ  接続部
１８  スプール
１９  ハウジング
２４  中心軸
２６  筒体
２６ａ  隔壁
２６ｂ  スリット
２６ｃ  小区画部分
２６ｄ  大区画部分
２７  鍔
３５  コイルスプリング
５０ａ  遮光板
５３  制動板
５３ｂ  ブラケット
５４  扁平部材
５５  切り欠き
【図１】
2008095481.tif 000003
【図２】
2008095481.tif 000004
【図３】
2008095481.tif 000005